(57)【要約】【課題】プローブ自体を移動させることなく、被検体の異なる位置から光学情報を取得できる光学情報収集プローブを提供する。【解決手段】光学情報収集用プローブ（１００）は、先端部が湾曲してる光ファイバ（１０４）と、先端部の湾曲状態を調整する湾曲調整部（１１０）とを備える。湾曲調整部（１１０）は、例えば、光ファイバ（１０４）の先端部の外周面を押圧することにより、先端部を弾性変形させて湾曲状態の調整を行う押圧部材（１１２）と、押圧部材の位置を調整する位置調整機構（１１４）とを含む。位置調整機構（１１４）は、押圧部材（１１２）を光ファイバ（１０４）に沿ってスライドさせることで、押圧部材（１１２）の位置を調整する。【選択図】　　　図１
2004045322.tif 000002
【特許請求の範囲】
【請求項１】
先端部が湾曲している光ファイバと、
前記光ファイバの先端部が光学的情報を取得する被検体上の位置が変わるように、前記先端部の湾曲状態を調整する湾曲調整部と、
を備えることを特徴とする光学情報収集用プローブ。
【請求項２】
光コヒーレンス・トモグラフィによる被検体の断層像を得るための測定光および参照光を生成し、前記被検体に照射された前記測定光の反射光を前記参照光と干渉させ、得られた干渉光の強度を検出する干渉光検出部であって、前記光ファイバに接続され、前記光ファイバを介して前記被検体に前記測定光を照射し、かつ、前記反射光を取得する干渉光検出部をさらに備える
ことを特徴とする請求項１に記載の光学情報収集用プローブ。
【請求項３】
前記湾曲調整部は、前記光ファイバの外周面を押圧することにより、前記先端部を弾性変形させて前記湾曲状態の調整を行う押圧部材と、
前記押圧部材が前記光ファイバを押圧する位置を調整する位置調整機構と
を含むことを特徴とする請求項１に記載の光学情報収集用プローブ。
【請求項４】
前記位置調整機構は、前記押圧部材を前記光ファイバに沿ってスライドさせることで、前記押圧部材が前記光ファイバを押圧する位置を調整する
ことを特徴とする請求項３に記載の光学情報収集用プローブ。
【請求項５】
前記光ファイバは、少なくとも先端部近傍において円筒状に束ねられた複数の光ファイバであり、
前記光ファイバの各々の先端部は、前記円筒の中心軸に対する放射方向に沿って湾曲しており、
前記押圧部材は、内周側に前記複数の光ファイバを配置させている環状部材であり、前記複数の光ファイバに沿ってスライドすることにより、前記複数の光ファイバの先端部を同時に押圧し湾曲状態を調整する
ことを特徴とする請求項３に記載の光学情報収集用プローブ。
【請求項６】
光コヒーレンス・トモグラフィによる被検体の断層像を得るための測定光および参照光を生成し、前記被検体に前記測定光を照射した結果得られた反射光を前記参照光と干渉させ、得られた干渉光の強度を検出する複数の干渉光検出部をさらに備え、
前記複数の光ファイバは、それぞれ異なる前記干渉光検出部に接続されており、
前記干渉光検出部は、前記光ファイバを介して前記被検体に前記測定光を照射し、かつ、前記反射光を受光する
ことを特徴とする請求項３に記載の光学情報収集用プローブ。
【発明の詳細な説明】
【０００１】
【発明が属する技術分野】
本発明は、光ファイバを用いて被検体の光学的情報を収集する光学情報収集用プローブに関する。
【０００２】
【従来の技術】
光ファイバは、被検体の局所的な部位から選択的に光学的情報を取得することができる、あるいは、狭小な空間にも差し入れることができるなどの利点を有することから、種々の光学的装置においてプローブの一部として利用されている。特開平６−１６０２７２号公報に開示されている光断層イメージング装置は、そのような装置の一例である。この装置では、被検体内部に挿入する内視鏡の挿入部に、光コヒーレンス・トモグラフィ（Ｏｐｔｉｃａｌ　Ｃｏｈｅｒｅｎｃｅ　Ｔｏｍｏｇｒａｐｈｙ）による断層像観察のための光ファイバ束が備えられている。光ファイバ束では、内視鏡の挿入部の外周側に環状に光ファイバが並べられており、また、各光ファイバの先端部は、例えば外方に曲られ、そこから光が挿入部の放射方向に出入射するように構成されている。
【０００３】
各光ファイバには、低干渉性の光が順次入射される。入射された光は、光ファイバの先端から被検体、例えば人の消化器官等の体腔の壁部に照射される。前述のように、各光ファイバは外方に放射状に曲げられているので、各光ファイバから順に光を照射すると、体腔の壁部は実質的に環状に光で走査される。
【０００４】
被検体の壁部に照射された測定光のうち、組織表面および内部で反射された反射光の一部は再び光ファイバへ戻る。光断層イメージング装置は、各光ファイバに戻った反射光から被検体を輪切りにしたようなの状の断層像を生成し、モニタに表示する。
【０００５】
【発明が解決しようとする課題】
このように、上記光断層イメージング装置では、光ファイバ束を構成する各光ファイバの先端から環状に測定光を走査して断層像を得るので、被検体の環状の断層像を得ることができる。しかし、上記装置では、測定光が光ファイバ束の長手方向には走査されないので、得られる像は実質的に幅のない二次元的な像となる。より有用性の高い３次元的な像を得るためには、内視鏡の挿入部を体腔に沿って前後に微動させながら被検体の異なる位置で測定を繰り返さなければならないが、長い挿入部を体腔に沿って前後に微動させることは容易ではい。
そこで本発明は、上記のような問題を解決すべく、プローブ自体を移動させることなく、被検体の異なる位置から光学情報を取得できる光学情報収集プローブを提供することを目的としている。
【０００６】
【課題を解決するための手段】
上記課題は、先端部が湾曲してる光ファイバと、先端部の湾曲状態を調整する湾曲調整部とを備える光学情報収集用プローブによって解決することができる。このような光学情報収集用プローブでは、光ファイバの湾曲状態を変えることにより、光ファイバの先端部が向いている位置を変えることができる。このため、光学情報収集用プローブ自体を移動させなくても、光ファイバの先端部が光学的情報を取得する被検体上の位置を変えることができる。
【０００７】
上記光学情報収集用プローブは、光学的情報を取得するための種々のプローブとして応用でき、光学情報収集用プローブを光コヒーレンス・トモグラフィによる断層像を得るためのプローブとしても使用することができる。この場合には、例えば、光コヒーレンス・トモグラフィによる被検体の断層像を得るための測定光および参照光を生成し、被検体に照射された測定光の反射光を参照光と干渉させ、得られた干渉光の強度を検出する干渉光検出部をさらにプローブに備える。そして、この干渉光検出部を光ファイバを介して被検体に測定光を照射し、かつ、反射光を取得するように光ファイバに接続する。
【０００８】
湾曲調整部は、例えば、光ファイバの外周面を押圧することにより、先端部を弾性変形させて湾曲状態の調整を行う押圧部材と、押圧部材がその光ファイバを押圧する位置を調整する位置調整機構とを含むように構成することができる。このような構成では、光ファイバの弾性を利用して光ファイバの湾曲している部位を曲げたり伸ばしたりするので、簡素な機構で光ファイバの湾曲状態を調整できる。なお、押圧部材を光ファイバに沿ってスライドさせることで、押圧部材が光ファイバを押圧する位置を調整することとすれば、プローブの外径を小さく抑制できる等の利益を得ることができる。
【０００９】
光学情報収集用プローブが含む光ファイバの個数は特に限定されず、１つでも、２以上であってもよい。本発明の一態様において、光学情報収集用プローブは複数の光ファイバを含み、それら光ファイバは少なくとも先端部近傍において円筒状に束ねられている。また、光ファイバの各々の先端部は、上記円筒の中心軸に対する放射方向に沿って湾曲している。このような構成の光学情報収集用プローブを腸などの体腔に挿入すると、その体腔の壁部の光学的情報をプローブを中心とする環状領域に沿って、プローブを回転させることなく測定することが可能になる。この場合、押圧部材として、内周側に前記複数の光ファイバを配置させている環状部材を用いることができる。このような環状部材を上記複数の光ファイバに沿ってスライドさせれば、それら複数の光ファイバの先端部を同時に押圧し湾曲状態を調整することができる。
【００１０】
なお、上記のように、光学情報収集用プローブが複数の光ファイバを備える場合には、各光ファイバに前述した干渉光検出部を別個独立に接続し、全ての光ファイバで同時に、光コヒーレンス・トモグラフィによる断層像を得るために必要な光学的情報を収集するようにしてもよい。
【００１１】
【発明の実施の形態】
以下、本発明の一実施形態に係る光学情報収集用のプローブについて説明する。
図１は、本実施形態に係るプローブ１００の構成を示す図である。なお、以下の説明では、図１の左側をプローブの前側（先端側）であるとして説明を行う。本実施形態のプローブ１００は、胃腸等の消化器官その他の体腔内で、光コヒーレンス・トモグラフィ（以下、「ＯＣＴ」という）による生体表面下の断層像を得るために必要な光学的情報を収集するプローブである。
【００１２】
プローブ１００は、細長く柔軟な管状の部分であって体腔に挿入できる挿入部１０２を有する。挿入部１０２は、複数の光ファイバ１０４と、それら光ファイバ１０４の束をカバーするシース１０６とを備えている。光ファイバ１０４は、少なくとも先端部近傍において、挿入部１０２の長手方向の中心軸Ａをその中心軸とする円筒状に束ねられている。また、各光ファイバ１０４の先端部は挿入部１０２の外側を向くように、中心軸Ａに対する放射方向にそって湾曲している。
【００１３】
挿入部１０２の先端部近傍には、各光ファイバ１０４の先端部の湾曲状態を調整し、それにより、各光ファイバ１０４の先端部が光学的情報を取得する体腔内の位置（中心軸Ａに平行な方向における位置）を変える湾曲調整部１１０がさらに備えられている。
【００１４】
湾曲調整部１１０は、各光ファイバ１０４の湾曲部を押圧することで、その湾曲部を弾性変形させる押圧部材１１２と、その押圧部材１１２の中心軸Ａに沿った位置（円筒状に束ねられた光ファイバ１０４に沿った位置）を調整する位置調整機構１１４とを備えている。
【００１５】
本実施形態の場合、位置調整機構１１４は、２つの支持板１１６、１１８によりシース１０６の内周側に取り付けられた一種のカム機構を構成している。この位置調整機構１１４は、回転リング（カムリング）１２０と、この回転リング１２０に回転のための動力を与える牽引ワイヤ１２８とを備えている。
【００１６】
図２の斜視図に示すように、回転リング１２０は、２つのリード溝（カム溝）１２２、１２４を設けられた円筒状の部材である。２つのリード溝１２２、１２４は、一方が左巻きの螺旋状に、他方が右巻きの螺旋状に設けられている。回転リング１２０は、光ファイバ１０４の束がその内周側を通り抜けるように、かつ、中心軸Ａ回りに回転できるように支持板１１６、１１８により保持されている。
【００１７】
牽引ワイヤ１２８は、可撓性のある線材であり、シース１０６の内側を位置調整機構１１４から挿入部１０２の後端まで伸びている。牽引ワイヤ１２８の先端は、被牽引部材１３０に固定されている。被牽引部材１３０は、回転リング１２０の外周面にスライド可能に取り付けられている環状の部材である。
【００１８】
被牽引部材１３０の後端と支持板１１８との間には圧縮バネ１３２が配置されている。被牽引部材１３０は、この圧縮バネ１３２に押圧されて、通常は位置調整機構１１４の前端にある支持板１１６へ押し付けられている。牽引ワイヤ１２８を挿入部１０２の後端側へ引っ張ると、被牽引部材１３０も牽引ワイヤ１２８に引っ張られ、圧縮バネ１３２の弾性力に抗して回転リング１２０の外周面上を後方へ移動する。次に、牽引ワイヤ１２８を離すと、回転リング１２０は、圧縮バネ１３２に押されて再び回転リング１２０に沿って前方へ移動する。
【００１９】
なお、圧縮バネ１３２は、一端が支持部材１１８に接着固定されており、また、他端が被牽引部材１３０に接着固定されている。このため、被牽引部材１３０は、中心軸Ａ回りに回転することがなく、実質的にその運動を中心軸Ａに沿った前後移動に規制されている。
【００２０】
被牽引部材１３０の内周面には、ビス（カムピン）１３４が固定されており、そのビス１３４の頭部は、回転リング１２０の一方のリード溝１２２の中にスライド可能に配置されている。牽引ワイヤ１２８および圧縮バネ１３２の作用により回転リング１２０が前後に移動すると、ビス１３４は、リード溝１２４の中を前後に移動し、これにより回転リング１２０を中心軸Ａ回りに回転させる。
【００２１】
押圧部材１１２は、環状の部材であり、光ファイバ１０４の束と回転リング１２０の間に少なくとも一部が挟まれるように配置されている。押圧部材１１２と支持板１１８との間には、引っ張りバネ１３８が配置されている。引っ張りバネ１３８の両端は、それぞれ押圧部材１３０と支持板１１８とに接着固定されている。このため、押圧部材１１２も、被牽引部材１３０と同様に、中心軸Ａ回りに回転することができない。
【００２２】
押圧部材１１２の外周面にもビス（カムリング）１３６が固定されていおり、そのビス１３６の頭部は、回転リング１２０の他方のリード溝１２４の中にスライド可能に配置されている。回転リング１２０が被牽引部材１３０に駆動されて回転すると、ビス１３６がリード溝１２４の中をスライドし、その結果、押圧部材１１２が前後に移動する。
【００２３】
ここでリード溝１２４はもう一方のリード溝１２２と逆方向の螺旋状に設けられているので、リード溝１２２に沿った被牽引部材１３０の移動方向と、リード溝１２４に沿った押圧部材１１２の移動方向とは常に逆になる。すなわち、牽引ワイヤ１２８に引っ張られて被牽引部材１３０が後方（図１中右）へ移動するときは、押圧部材１１２は前方（図１中左）に移動する。一方、圧縮バネ１３２に押されて被牽引部材１３０が前方へ移動すると、押圧部材１１２は後方へ移動する。
【００２４】
図３は、牽引ワイヤ１２８が引っ張られ、回転リング１２０が回転したために、押圧部材１１２が前方へ移動した状態を示している。本実施形態では、押圧部材１１２の内周面が、円筒状に束ねられた光ファイバ１０４の外周面にほぼ接するように押圧部材１１２を形成し、配置している。押圧部材１１２が前方へ進むと、押圧部材１１２の先端が、外方に湾曲している各光ファイバ１０４の湾曲部に接触し、各光ファイバ１０４の先端部がより直線的になるようにこれを押圧する。この結果、各光ファイバ１０４の先端面の向き、ひいては、その先端面から光が射出する方向、あるいはその先端面に入射できる光の方向が変化する。つまり、プローブ１００では、押圧部材１１２を前後に移動させて各光ファイバ１０４の湾曲状態を調整することで、プローブ１００自体を移動させることなく、各光ファイバ１０４で光を照射できる位置、および、各光ファイバ１０４で光学的情報を取得できる被検体の位置を変えることができる。
【００２５】
図１に戻って、本実施形態のプローブ１００は、さらに、牽引ワイヤ１２８に接続されているワイヤ牽引部１５０と、各光ファイバ１０４の後端にそれぞれ一つずつ接続されている複数の干渉光検出部１７０と、ワイヤ牽引部１５０および干渉光検出部１７０とがコンピュータ等の外部機器と通信を行うための入出力インターフェイス２００とを備えている。
【００２６】
ワイヤ牽引部１５０は、入出力インタフェース２００を介して例えば制御用のコンピュータから受けたコマンドに従い、牽引ワイヤ１２８を牽引し、それにより、各光ファイバ１０４により光学的情報が取得される被検体上の位置を調整する部位である。また、干渉光検出部１７０は、光コヒーレンス・トモグラフィにより、被検体の断層像を得るための測定光および参照光を生成し、被検体に照射された測定光の反射光を参照光と干渉させ、得られた干渉光の強度を検出するための部位である。
【００２７】
図４は、干渉光検出部１７０の構成を示す図である。干渉光検出部１７０は、第１および第２の光ファイバ１７２、１７４を備えている。第１および第２の光ファイバ１７２、１７４は、途中でＰＡＮＤＡカプラ１７６により互いに光学的に結合されている。第１の光ファイバ１７２の一端には、超高輝度発光ダイオード１７８（以下、「ＳＬＤ１７８」という）が備えられている。また、第１の光ファイバ１７２の他端は、光ファイバ１０４の一つとコネクタ１８０により光学的に接続されている。
【００２８】
ＳＬＤ１７８は、近赤外域の低干渉性光を第１の光ファイバ１７２に入射する光源である。入射された低干渉性光は、ＰＡＮＤＡカプラ１７６において第１および第２の光ファイバ１７２、１７４に等分に分配される。以下、第１および第２の光ファイバ１７２、１７４へ伝送された光をそれぞれ測定光および参照光と呼ぶこととする。
【００２９】
ＰＡＮＤＡカプラ１７６とコネクタ１８０との間において、第１の光ファイバ１７２の一部が圧電素子１８２に巻き付けられている。圧電素子１８２は、発振器１８４により励振され、それにより第１の光ファイバ１７２を伝搬する低干渉性光を変調する変調器として機能している。
【００３０】
第２の光ファイバ１７４の一端には、その端面から射出される光の強度を検出する光検出部１９０が備えられている。光検出部１９０としては例えばフォトダイオードが用いられている。第２の光ファイバ１７４の他端には、ミラー１８６が配置されている。ミラー１８６は、ＰＡＮＤＡカプラ１７６から第２の光ファイバ１７４へ導入され、第２の光ファイバ１７４の端面から射出される低干渉性光を反射し、再び第２の光ファイバ１７４に入射させる。ミラー１８６は、一次元ステージおよびその一次元ステージを駆動するステッピングモータ等を含む駆動機構１８８により、第２の光ファイバ１７４の端面に対向する方向に前後駆動される。このようにミラー１８６を前後駆動することにより、第２の光ファイバ１７４を伝搬する低干渉性光の光路長を変えることができる。
【００３１】
ＰＡＮＤＡカプラ１７６とミラー１８６の間における第２の光ファイバ１７４には、第２の光ファイバ１７４を巻くことにより形成された補償リング１９２がある。補償リング１９２は、第２の光ファイバの長さを、第１の光ファイバと、その第１の光ファイバに接続されている光ファイバ１０４とを合わせた長さに等しくするために形成されている。
【００３２】
前述したように、ＳＬＤ１７８から第１の光ファイバ１７２に入射された低干渉性光がＰＡＮＤＡカプラ１７６で第１の光ファイバ１７２を伝搬する測定光と、第２の光ファイバ１７４を伝搬する参照光とに分かれる。測定光は、圧電素子１８２において変調された後に、コネクタ１８０を介してプローブ１００の先端まで伸びる光ファイバ１０４に伝送される。さらに、測定光は、光ファイバ１０４の先端面から被検体、本実施形態の場合は体腔の壁部に照射される。照射された測定光は、被検体における細胞や組織などの屈折率境界において反射し、一部が再び光ファイバ１０４に入射する。再入射した測定光（反射光）は、さらに第１の光ファイバ１７２に戻り、一部がＰＡＮＤＡカプラ１７６で第２の光ファイバ１７４へ分配され、光検出部１９０に入射する。
【００３３】
一方、参照光は、第２の光ファイバ１７４の端部でミラー１８６により反射された後、再び第２の光ファイバ１７４に入射し、今度は、光検出部１９０へ向けて伝搬する。この結果、光検出部１９０に入射する光は、被検体で反射された測定光と、ミラー１８６で反射された参照光とが重なり合わさった光となる。ＳＬＤ１７８で発生する光は、可干渉距離が極めて短い低干渉性光であるため、測定光と参照光とは、それらが光検出部１９０に達するまで伝搬した光路長がほぼ等しくない限り干渉しない。したがって、ミラー１８６を移動させることで参照光の光路長を変化させつつ、光検出部１９０の検出結果の記録を取れば、被検体の深さ方向の構造を表すデータを得ることができ、さらにそのデータに基づいて被検体の断層像を生成することが可能になる。
【００３４】
干渉光検出部１７０は、上記のような断層像生成のためのデータを外部のコンピュータ等に送信するために、入出力インターフェイスを介して外部と通信できるマイクロプロセッサ１９６を備えている。このマイクロプロセッサ１９６は、ミラー１８６の位置決めを行う駆動機構１８８に接続されており、また、光検出部１９０ともロックインアンプ１９４を介して接続されている。
【００３５】
ロックインアンプ１９４の信号入力端には光検出部１９０の出力が入力されており、また、参照信号端には発振器１８４の駆動信号またはこれと同一位相の信号が入力されている。したがって、ロックインアンプ１９４は、光検出部１９０の出力のうち、圧電素子１８２により変調された測定光と同一位相の成分のみを抽出し、マイクロプロセッサ１９６に入力する。
【００３６】
マイクロプロセッサ１９６は、駆動機構１８８を制御して、予め定められている複数箇所にミラー１８６を順次位置決めする。そして、ミラー１８６が位置決めされるたびに、マイクロプロセッサ１９６はロックインアンプ１９４からの入力を例えば内蔵のＡ／Ｄコンバーターでデジタルデータに変換し、そのときのミラー１８６の位置を示す情報と共にこれを入出力インターフェース２００を介して外部のコンピュータに送信する。ミラー１８６の位置は、測定光が反射された被検体の深さ方向位置に対応しているので、外部のコンピュータは、マイクロプロセッサ１９６から送信された上記データに基づいて、被検体の深さ方向の構造に関するデータを得ることができる。
【００３７】
本実施形態では、複数の光ファイバ１０４の先端が環状に配列され、それぞれが放射方向外方を向くように湾曲されているので、各光ファイバ１０４に接続されている干渉光検出部１７０の各々から上記データが送信されると、外部のコンピュータは、それらデータから体腔を輪切りにしたような環状の断層像を生成することができる。また、本実施形態のプローブ１００では、各光ファイバ１０４に別個独立に干渉光検出部１７０が備えられており、各光ファイバ１０４による被検体からの光学的情報の収集を同時、平行して行うことができるので、一つの環状の断層像を生成するために必要なデータは、比較的短時間で取得され、外部コンピュータ等へ送信される。
【００３８】
図５は、ワイヤ牽引部１５０の構成を示す図である。ワイヤ牽引部１５０は、牽引ワイヤの後端を牽引するための部位である。
【００３９】
ワイヤ牽引部１５０は、牽引ワイヤ１２８の後端に接続されており牽引ワイヤ１２６を後方へ牽引する牽引機構１５６と、その牽引機構１５６の動作を制御する制御部１５４とを備えている。また、ワイヤ牽引部１５０は、牽引ワイヤ１２８を牽引する量（牽引量）と、光ファイバ１０４が光学的情報を収集する被検体の位置（測定位置）の対応関係を示す情報を格納しているメモリ１５２をも備えている。
【００４０】
メモリ１５２に格納される情報は、牽引量と測定位置との関係を示す方程式、あるいは、そのような方程式における比例定数であってもよいが、本実施形態では、図６に例示するように複数の牽引量（ｌ１、ｌ２、・・・・、ｌｎ）と各々の牽引量に対応する測定位置（ｐ１、ｐ２、・・・・、ｐｎ）とが対応付けられてメモリ１５２に格納されている。
【００４１】
なお、本実施形態において測定位置ｐは、図７に例示するように、光ファイバ１０４がもっとも湾曲しているときの先端面（の中心）の位置Ｏから見た、中心軸Ａに平行な方向における光ファイバ１０４の先端面（の中心）の位置を表す。
【００４２】
本実施形態のプローブ１００では、各光ファイバ１０４を用いて被検体に測定光を照射する前に、制御部１５４が入出力インターフェイス２００を介して外部コンピュータ等から測定位置ｐの指定を受ける。測定位置の指定を受けると、制御部１５４は指定された測定位置ｐをメモリ１５２内で検索し、その測定位置ｐに対応付けられている牽引量ｌを読み出す。次に制御部１５４は、読み出した牽引量ｌに相当する量だけ牽引ワイヤが牽引されるように牽引機構１５６を制御する。その結果、各光ファイバ１０４の先端面は、指定された測定位置ｐに位置決めされる。牽引ワイヤ１２８の牽引が終了すると、制御部１５４は、各干渉光検出部１７０のマイクロプロセッサ１９６へ、測定を許可するコマンドを送信する。この結果、各マイクロプロセッサ１９６は、前述した、被検体の断層像を生成するためのデータの収集を実行する。
【００４３】
本実施形態のプローブ１００では、上記のワイヤ牽引部１５０と干渉光検出部１７０の動作が、外部コンピュータ等の指示に従い、牽引ワイヤ１２８の牽引量を変えながら複数回行われる。これにより、プローブ１００は、プローブ自体を移動させることなく、中心軸Ａに沿った被検体の異なる複数箇所で、被検体の環状の断層像を得るための光学的情報を収集し、これを外部コンピュータ等に送信することができる。そして、外部コンピュータでは、被検体の表面下の構造を示す三次元画像を生成することができるようになる。
【００４４】
【発明の効果】
以上説明したように、本発明によれば、プローブ自体を移動させることなく、被検体の異なる位置から光学的情報を取得できる光学情報収集プローブを提供することが可能になる。
【図面の簡単な説明】
【図１】本発明の一実施形態に係る光学情報収集プローブの構成を示す図である。
【図２】図１に示したプローブで用いられる回転リングの斜視図である。
【図３】図１に示したプローブにおいて、光ファイバの湾曲状態が変えられた様子を示す図である。
【図４】図１に示したプローブが備える干渉光検出部の構成図である。
【図５】図１に示したプローブが備えるワイヤ牽引部の構成図である。
【図６】図５に示したワイヤ牽引部が備えるメモリに格納されているデータ例を示す図である。
【図７】測定位置の定義例を示す模式図である。
【符号の説明】
１００　プローブ
１０４　光ファイバ
１１０　湾曲調整部
１１２　押圧部材
１１４　位置調整機構
１２８　牽引ワイヤ
１５０　ワイヤ牽引部
１７０　干渉光検出部
【図１】
2004045322.tif 000003
【図２】
2004045322.tif 000004
【図３】
2004045322.tif 000005
【図４】
2004045322.tif 000006
【図５】
2004045322.tif 000007
【図６】
2004045322.tif 000008
【図７】
2004045322.tif 000009